(57)【特許請求の範囲】
【請求項１】
無線通信ネットワークのための進化型パケットコアの複数のサービングゲートウェイ（ＳＧＷ）および複数のパケットデータネットワークゲートウェイ（ＰＧＷ）と通信を行う通信モジュール、および、
前記通信モジュールに結合された管理モジュールを備え、
前記管理モジュールは、
前記通信モジュールを介して、前記複数のＰＧＷの個々のＰＧＷから、前記ＰＧＷそれぞれの輻輳のレベルを示す事前ＰＧＷ輻輳通知を受信し、
受信した前記事前ＰＧＷ輻輳通知に基づいて、前記無線通信ネットワークのユーザ機器（ＵＥ）による前記複数のＰＧＷへのアクセスを管理し、
前記管理モジュールは更に、前記複数のＰＧＷのうちの１つとパケットデータネットワーク接続（ＰＤＮ接続）を確立するＰＤＮ要求を前記ＵＥから受信し、前記複数のＰＧＷの前記輻輳のレベルに基づいて、前記要求に応答する動作を行い、
前記動作は、要求された前記ＰＤＮ接続を確立する代わりに、既存のＰＤＮ接続を終了するまたは修正することを前記ＵＥと交渉することを含む、モビリティマネジメントエンティティ（ＭＭＥ）。
【請求項２】
前記管理モジュールは更に、前記複数のＳＧＷの個々のＳＧＷから、前記ＳＧＷの輻輳のレベルを示す事前ＳＧＷ輻輳通知を受信する、請求項１に記載のＭＭＥ。
【請求項３】
前記管理モジュールは、前記複数のＰＧＷの前記輻輳のレベルに基づいて、ネットワークの高い輻輳を示す通知を、前記ＵＥへ、前記ＵＥから受信される前記ＰＤＮ要求とは独立して送信する、請求項１または２に記載のＭＭＥ。
【請求項４】
前記動作は、前記複数のＰＧＷの受信した前記輻輳のレベルに基づいて、前記ＵＥが前記ＰＤＮ接続を確立すべき第１のＰＧＷを前記複数のＰＧＷから選択することを含む、請求項１から３の何れか一項に記載のＭＭＥ。
【請求項５】
前記動作は更に、前記ＵＥと前記第１のＰＧＷとの間の前記ＰＤＮ接続をルーティングすべき第１のＳＧＷを前記複数のＳＧＷから選択することを含み、
前記第１のＳＧＷは、前記複数のＳＧＷの受信した前記輻輳のレベルに基づいて選択される、請求項４に記載のＭＭＥ。
【請求項６】
前記第１のＰＧＷは、前記複数のＳＧＷのうちの第１のＳＧＷと関連付けられ、
前記管理モジュールは更に、前記第１のＳＧＷを介して前記ＰＤＮ接続をルーティングする、請求項４に記載のＭＭＥ。
【請求項７】
前記動作は、低い輻輳レベルを有するＰＧＷが存在しない場合に、前記ＰＤＮ接続が不成功であったことを知らせる通知を前記ＵＥに送信することを含む、請求項１から６の何れか一項に記載のＭＭＥ。
【請求項８】
前記交渉することは、
要求された前記ＰＤＮ接続を確立する代わりに、既存のＰＤＮ接続を終了するまたは修正する選択肢を伴う通知を前記ＵＥに送信すること、および、
前記ＵＥから前記通知に対する応答を受信すること、を含む請求項１から７の何れか一項に記載のＭＭＥ。
【請求項９】
前記通知および前記応答は、非アクセス層（ＮＡＳ）シグナリングを使用して送信される、請求項８に記載のＭＭＥ。
【請求項１０】
前記管理モジュールは更に、前記複数のＰＧＷおよび前記複数のＳＧＷのうちの少なくとも一方の受信した前記輻輳のレベルに基づいて、前記無線通信ネットワークのユーザプレーンの全体的な輻輳のレベルを示すメッセージを、前記ＵＥに事前に送信する、請求項２から９の何れか一項に記載のＭＭＥ。
【請求項１１】
前記輻輳のレベルは、輻輳が第１の閾値を超えることを示す高いレベルである、請求項１から１０のいずれか一項に記載のＭＭＥ。
【請求項１２】
前記輻輳のレベルは、高い輻輳を示す複数のレベルのうちの１つである、請求項１から１１の何れか一項に記載のＭＭＥ。
【請求項１３】
無線通信ネットワークのための進化型パケットコアの複数のサービングゲートウェイ（ＳＧＷ）および複数のパケットデータネットワークゲートウェイ（ＰＧＷ）と通信を行う通信モジュール、および、
前記通信モジュールに結合された管理モジュールを備え、
前記管理モジュールは、
前記通信モジュールを介して、前記複数のＰＧＷの個々のＰＧＷから、前記ＰＧＷそれぞれの輻輳のレベルを示す事前ＰＧＷ輻輳通知を受信し、
受信した前記事前ＰＧＷ輻輳通知に基づいて、前記無線通信ネットワークのユーザ機器（ＵＥ）による前記複数のＰＧＷへのアクセスを管理し、
前記複数のＳＧＷの個々のＳＧＷから、前記ＳＧＷの輻輳のレベルを示す事前ＳＧＷ輻輳通知を受信し、
前記複数のＰＧＷのうちの１つとパケットデータネットワーク接続（ＰＤＮ接続）を確立するＰＤＮ要求を前記ＵＥから受信し、前記複数のＰＧＷの前記輻輳のレベルに基づいて、前記要求に応答する動作を行い、
前記動作は、要求された前記ＰＤＮ接続を確立する代わりに、既存のＰＤＮ接続を終了するまたは修正することを前記ＵＥと交渉することを含む、モビリティマネジメントエンティティ（ＭＭＥ）。
【請求項１４】
前記交渉することは、
要求された前記ＰＤＮ接続を確立する代わりに、既存のＰＤＮ接続を終了するまたは修正する選択肢を伴う通知を前記ＵＥに送信すること、および、
前記ＵＥから前記通知に対する応答を受信すること、を含む請求項１３に記載のＭＭＥ。
【請求項１５】
前記通知および前記応答は、非アクセス層（ＮＡＳ）シグナリングを使用して送信される、請求項１４に記載のＭＭＥ。
【請求項１６】
前記管理モジュールは、前記複数のＰＧＷの前記輻輳のレベルに基づいて、ネットワークの高い輻輳を示す通知を、前記ＵＥに事前に送信する、請求項１３から１５の何れか一項に記載のＭＭＥ。
【請求項１７】
前記輻輳のレベルは、高い輻輳を示す複数のレベルのうちの１つである、または、低い輻輳を示す複数のレベルのうちの１つである、請求項１３から１６の何れか一項に記載のＭＭＥ。
【請求項１８】
無線通信ネットワークを介して、発展型ノードＢ（ｅＮＢ）と通信を行う通信モジュールと、
パケットデータネットワークモジュール（ＰＤＮモジュール）とを備え、
前記ＰＤＮモジュールは、
新規のＰＤＮ接続の要求を、前記無線通信ネットワークのモビリティマネジメントエンティティ（ＭＭＥ）に送信し、
前記新規のＰＤＮ接続を確立する代わりに既存のＰＤＮ接続を終了または修正する選択肢をユーザ機器（ＵＥ）に与える通知を、前記ＭＭＥから受信し、
前記通知に対する応答を前記ＭＭＥに送信する、通信装置。
【請求項１９】
前記新規のＰＤＮ接続の前記要求は、前記ｅＮＢを介して前記ＭＭＥに送信される、請求項１８に記載の通信装置。
【請求項２０】
前記通知は、前記ＭＭＥから非アクセス層（ＮＡＳ）シグナリングを使用して受信される、請求項１８または１９に記載の通信装置。
【請求項２１】
前記ＰＤＮモジュールは更に、前記応答を選択する前記選択肢を、前記通信装置のユーザに提示する、請求項１８から２０の何れか一項に記載の通信装置。
【請求項２２】
前記既存のＰＤＮ接続を修正する前記選択肢は、前記既存のＰＤＮ接続が要求する帯域幅およびサービス品質の少なくとも一方を低減することを含む、請求項１８から２１の何れか一項に記載の通信装置。
【請求項２３】
前記応答は、否定応答であり、
前記新規のＰＤＮ接続は、拒否され、
前記通信装置は、前記既存のＰＤＮ接続を受信し続ける、請求項１８から２２の何れか一項に記載の通信装置。
【請求項２４】
前記応答は、肯定応答であり、
前記新規のＰＤＮ接続が確立され、
前記既存のＰＤＮ接続は、終了または修正される、請求項１８から２２のいず何れか一項に記載の通信装置。
【請求項２５】
前記通信モジュールおよび前記ＰＤＮモジュールは、ユーザ機器（ＵＥ）に含まれており、
前記ユーザ機器は更に、
前記通信モジュールに結合された１つまたは複数のアンテナと、
前記ＰＤＮモジュールに結合されたディスプレイと、を有する、請求項１８から２４の何れか一項に記載の通信装置。
【請求項２６】
複数のパケットデータネットワークゲートウェイ（ＰＧＷ）から、前記複数のＰＧＷそれぞれの輻輳のレベルを示す事前ＰＧＷ輻輳通知を受信する手段と、
複数のサービングゲートウェイ（ＳＧＷ）から、前記複数のＳＧＷそれぞれの輻輳のレベルを示す事前ＳＧＷ輻輳通知を受信する手段と、
前記複数のＰＧＷのうちの１つとパケットデータネットワーク（ＰＤＮ）接続を確立するＰＤＮ要求をユーザ機器（ＵＥ）から受信する手段と、
前記複数のＰＧＷおよび前記複数のＳＧＷの前記輻輳のレベルに基づいて、前記ＰＤＮ要求に応答する動作を行う手段と、を備え、
前記動作は、
要求された前記ＰＤＮ接続を確立する代わりに、既存のＰＤＮ接続を終了することまたは修正することを、前記ＵＥと交渉すること、を含む、コンピュータシステム。
【請求項２７】
前記複数のＰＧＷの前記輻輳のレベルに基づいて、ネットワークの高い輻輳を示す通知を、前記ＵＥへ、前記ＵＥから受信される前記ＰＤＮ要求とは独立して送信する手段を更に備える、請求項２６に記載のコンピュータシステム。
【請求項２８】
前記動作は、
前記ＰＤＮ接続を確立すべき第１のＰＧＷを前記複数のＰＧＷから選択すること、または前記ＰＤＮ接続が成功しなかったことを示す通知を前記ＵＥに送信することを含む、請求項２６または２７に記載のコンピュータシステム。
【請求項２９】
前記交渉することは、
要求された前記ＰＤＮ接続を確立する代わりに、既存のＰＤＮ接続を終了するまたは修正する選択肢を伴う通知を前記ＵＥに送信すること、および、
前記ＵＥから前記通知に対する応答を受信すること、を含む請求項２６から２８の何れか一項に記載のコンピュータシステム。
【発明の詳細な説明】
【技術分野】
【０００１】
本発明の実施形態は、概して、通信分野に関し、より詳細には、無線通信ネットワークにおけるユーザプレーン輻輳の対処に関する。
【０００２】
［優先権情報］
本願は、２０１２年２月６日に出願された米国特許仮出願第61/595,576号"Advanced Wireless Communication Systems and Techniques（アドバンスト無線通信システムおよび技術）"の優先権を主張する２０１２年７月３１日に出願された米国特許出願第13/563,508号明細書"Handling User Plane Congestion in a Wireless Communication Network（無線通信ネットワークにおけるユーザプレーン輻輳の対処）"の優先権を主張し、この開示の内容は、参照により本明細書に組み込まれる。
【背景技術】
【０００３】
多くの無線通信ネットワークは、ユーザ機器（ＵＥ）とのパケットデータネットワーク（ＰＤＮ）接続を扱うユーザプレーン（データプレーンとも称される）を備える。ＵＥが、ＰＤＮ接続を要求すると、その要求が、モビリティマネジメントエンティティ（ＭＭＥ）、サービングゲートウェイ（ＳＧＷ）およびパケットデータネットワークゲートウェイ（ＰＧＷ）を介してルーティングされる。しかしながら、ＳＧＷおよび／またはＰＧＷは、その他のＵＥおよび／またはその他のＰＤＮ接続によって生じる輻輳により、オーバーロード状態となる場合がある。この場合、要求がＰＧＷによって拒否されて、ＰＤＮ接続を確立できないことを示す通知が、ＵＥにルーティングされて戻される。
【０００４】
実施形態が、添付の図面を参照して記載される詳細な説明により明らかとなるであろう。説明を簡易にするべく、同様な構造的要素には同様な参照番号が付与されている。実施形態は、例として示されており、添付の図面によって限定されない。
【図面の簡単な説明】
【０００５】
【図１】様々な実施形態に係る無線通信ネットワークを概略的に示した図である。
【図２】様々な実施形態に係るユーザ機器を示したブロック図である。
【図３】様々な実施形態に係る、モビリティマネジメントエンティティ（ＭＭＥ）を示したブロック図である。
【図４】様々な実施形態に係るサービングゲートウェイを示したブロック図である。
【図５】様々な実施形態に係るパケットデータネットワークゲートウェイを示したブロック図である。
【図６】様々な実施形態に係る、輻輳ユーザプレーンにおいて、パケットデータネットワーク接続要求を管理する方法を示したフローチャートである。
【図７ａ】様々な実施形態に係る、ユーザ機器およびモビリティマネジメントエンティティによって実行されてもよい交渉方法を示したフローチャートである。
【図７ｂ】ユーザ機器およびモビリティマネジメントエンティティによって実行されてもよい交渉方法の別の実施形態を示したフローチャートである。
【図８】様々な実施形態に係る、事前輻輳通知の方法を示したフローチャートである。
【図９】様々な実施形態に係るシステムの一例を概略的に示した図である。
【発明を実施するための形態】
【０００６】
本開示の例示的実施形態は、これに限定されないが、無線通信ネットワークにおけるユーザプレーン輻輳に対処するための方法、システム、コンピュータ可読媒体および装置を含む。
【０００７】
例示される実施形態の様々な側面が、技術分野の別の当業者にその内容を伝えるべく、当業者が共通して使用する用語を使用して説明される。しかしながら、当業者であれば、説明された側面の一部分のみを使用して別の実施形態を実施できることは明らかである。説明を目的として、例示的な実施形態の完全な理解を提供するべく、特定の数、材料および設定が記載される。しかしながら、当業者であれば、特定の詳細事項がなくとも、別の実施形態を実施できることは明らかである。また、別の例において、例示の実施形態を曖昧にしない目的から、周知の特徴は、省略または簡略化されている。
【０００８】
更に、様々なオペレーションが複数の個別のオペレーションとして、特許請求される特徴を最も理解し易いような態様で順に説明される。しかしながら、記載の順番は、これらのオペレーションが必ずしもこの順番に依存することを暗に意味するものではない。特に、これらのオペレーションは、明細書に示された順番で実行されない場合もある。
【０００９】
"ある実施形態において"というフレーズが繰り返し使用される。このフレーズは、概して、同じ実施形態を指していないが、指している場合もある。"備える（comprising）"、"有する（having）"および"含む（including）"という言葉は、コンテキストがそうでないと示していない限り、同義語である。"Ａおよび／またはＢ"というフレーズは、（Ａ）、（Ｂ）または（ＡおよびＢ）を意味する。"Ａ／Ｂ"というフレーズは、"Ａおよび／またはＢ"というフレーズと同様に、（Ａ）、（Ｂ）または（ＡおよびＢ）を意味する。"少なくともＡ、ＢおよびＣのうちの１つ"というフレーズは、（Ａ）、（Ｂ）、（Ｃ）、（ＡおよびＢ）、（ＡおよびＣ）、（ＢおよびＣ）または（Ａ、ＢおよびＣ）を意味する。"（Ａ）Ｂ"というフレーズは、（Ｂ）または（ＡおよびＢ）を意味する、すなわち、Ａは任意であることを意味する。
【００１０】
特定の実施形態が、図示および説明されるが、当業者であれば、多種多様な代替および／または均等な実装形態を、本開示の実施形態の範囲から逸脱することなく、図示されるおよび説明される特定の実施形態に代えてもよいことを理解できる。本願は、本明細書に記載される実施形態の適用または変形も範囲に含めることを意図している。したがって、本開示の実施形態は、添付の特許請求の範囲およびその均等物によってのみ限定されることを明確に意図している。
【００１１】
本明細書で使用されている"モジュール"という用語は、特定用途向け集積回路（ＡＳＩＣ）、電子回路、１つまたは複数のソフトウェアプログラムまたはファームウェアプログラムを実行する（共有、専用またはグループ）プロセッサおよび／または（共有、専用またはグループ）メモリ、組み合わせ論理回路、および／または、説明される機能を提供するその他の好適な構成要素の一部であるまたはこれらを含むことを指す。
【００１２】
図１は、様々な実施形態に係る無線通信ネットワーク１００を概略に示す。無線通信ネットワーク１００（以下、"ネットワーク１００"と称する）は、ｅｖｏｌｖｅｄ ｕｎｉｖｅｒｓａｌ ｍｏｂｉｌｅ ｔｅｌｅｃｏｍｍｕｎｉｃａｔｉｏｎ ｓｙｓｔｅｍ（ＵＭＴＳ）ｔｅｒｒｅｓｔｒｉａｌ ｒａｄｉｏ ａｃｃｅｓｓ ｎｅｔｗｏｒｋ（Ｅ−ＵＴＲＡＮ）のような第３世代パートナーシッププロジェクト（３ＧＰＰ）ロングタームエボリューション（ＬＴＥ）ネットワークのアクセスネットワークであってもよい。ネットワーク１００は、基地局、例えば、ユーザ機器（ＵＥ）１０８と無線通信を行う拡張ノード基地局（ｅＮＢ）１０４を含んでもよい。ネットワーク１００は更に、モビリティマネジメントエンティティ（ＭＭＥ）１１２、サービングゲートウェイ（ＳＧＷ）１１６および／またはパケットデータネットワークゲートウェイ（ＰＧＷ）１２０を含んでもよい。ＳＧＷ１１６およびＰＧＷ１２０は、ネットワーク１００のユーザプレーン（データプレーンとも称される）に含まれてもよい。
【００１３】
図２に示すように、ＵＥ１０８は、図示するように互いに結合されている通信モジュール２０４およびパケットデータネットワーク（ＰＤＮ）モジュール２０８を含んでもよい。ある実施形態では、ＵＥ１０８は更に、画像、データおよび／またはその他の情報をユーザに表示するディスプレイ２１２、ＵＥ１０８のユーザがデータ／コマンドを入力するおよび／またはＵＥ１０８とやり取りを行うためのユーザインタフェース２１６を含んでもよい。ある実施形態では、ディスプレイ２１２は、タッチスクリーンディスプレイのように、ユーザインタフェース２１６と一体化されていてもよい。ユーザインタフェース２１６は、これに代えてまたは加えて、キーボード、１つまたは複数のボタンおよび／またはボイスコントロールシステムのようなユーザ入力のためのその他の手段を含んでもよい。
【００１４】
通信モジュール２０４は更に、ネットワーク１００を介して無線で通信を行うためのＵＥ１０８の１つのまたは複数のアンテナ２２０と結合してもよい。ＵＥ１０８は、好適な任意の数のアンテナ２２０を含んでもよい。アンテナ２２０のうちの１つまたは複数を、送信アンテナまたは受信アンテナとして切り替えて使用してもよい。これに代えてまたは加えて、アンテナ２２０のうちの１つまたは複数は、受信専用アンテナまたは送信専用アンテナであってもよい。
【００１５】
図３に示すように、ＭＭＥ１１２は、互いに結合される通信モジュール ３０４および管理モジュール ３０８を含んでもよい。通信モジュール３４４は、ｅＮＢ１０４、ＵＥ１０８、ＳＧＷ１１６および／またはＰＧＷ１２０と、直接および／または間接的に通信を行うように構成されてもよい。通信モジュール３４４は、有線接続または無線接続を介して、ネットワーク１００のその他の構成要素と通信を行ってもよい。
【００１６】
図４は、様々な実施形態に係るＳＧＷ１１６を示し、図５は、様々な実施形態に係るＰＧＷ１２０を示す。ＳＧＷ１１６は、輻輳モジュール４０８（ＳＧＷ輻輳モジュール４０８とも称される）と結合される通信モジュール４０４を含み、ＰＧＷ１２０は、輻輳モジュール５０８（ＰＧＷ輻輳モジュール５０８とも称される）と結合される通信モジュール５０４を含んでもよい。ある実施形態では、ＳＧＷ１１６およびＰＧＷ１２０は、１つのデバイスに一体化されてもよい。その他の実施形態では、ＳＧＷ１１６およびＰＧＷ１２０は、別個のデバイスとして設けられてもよい。
【００１７】
様々な実施形態において、ｅＮＢ１０４、ＵＥ１０８、ＭＭＥ１１２、ＳＧＷ１１６および／またはＰＧＷ１２０は、図１から５に示すよりも多いまたは少ない構成要素を含んでもよい。
【００１８】
ネットワーク１００は、複数のＳＧＷ１１６および／またはＰＧＷ１２０を含んでもよい。ＰＧＷ１２０は、ＵＥ１０８に対して、１つまたは複数のＰＤＮ接続を提供してもよい。ＰＤＮ接続は、ＵＥ１０８が、インターネットのような外部ネットワークにアクセスすることを可能にしてもよい。ＰＤＮ接続は、ＳＧＷ１１６を経由してルーティングされてもよい。ある実施形態では、１つまたは複数のＰＧＷ１２０が、個々のＳＧＷ１１６と関連付けられてもよい。その他の実施形態では、複数のＳＧＷ１１６が、所与のＰＧＷ１２０に通信可能に結合されて、複数のＳＧＷのうちの任意のものが、ＰＤＮ接続をＵＥ１０８からＰＧＷ１２０へとルーティングさせるのに使用されてもよい。
【００１９】
様々な実施形態において、ＰＧＷ１２０の輻輳モジュール５０８は、ＰＧＷ１２０の輻輳のレベルを判断してもよい。輻輳は、ネットワーク１００のＵＥ（例えば、ＵＥ１０８）のためにＰＧＷ１２０によって扱われる進行中のＰＤＮ接続によって、および／または、その他の要因によって発生する場合がある。ＰＧＷ１２０は、輻輳のレベルを、ＭＭＥ１１２に積極的に報告してもよい。例えば、図１を参照して、（例えば、通信モジュール５０４を介して）ＭＭＥ１１２に送信されるＰＧＷ輻輳通知１２４に輻輳のレベルが含まれてもよい。"積極的に（proactively）"とは、ＰＧＷ輻輳通知１２４が、ＰＧＷ１２０が受信してもよい任意のＵＥからのＰＤＮ接続要求とは独立して送信されることを意味する。
【００２０】
ある実施形態では、ＰＧＷ輻輳通知１２４は、ＰＧＷ１２０と関連付けられた１つまたは複数のアクセスポイント名（ＡＰＮ）と関連付けられた輻輳のレベルを含んでもよい。
【００２１】
これに加えてまたは代えて、ＳＧＷ１１６の輻輳モジュール４０８は、（例えば、ＳＧＷ１１６によって扱われている進行中の接続によりまたはその他の要因により発生している）ＳＧＷ１１６の輻輳のレベルを判断してもよい。ＳＧＷ１１６は、ＭＭＥ１１２に（例えば、通信モジュール４０４を介してＭＭＥ１１２に送信されるＳＧＷ輻輳通知１２８において）輻輳のレベルを積極的に報告してもよい。
【００２２】
ある実施形態では、輻輳のレベルは、１つまたは複数の閾値を基準とした、ＰＧＷ１２０またはＳＧＷ１１６における輻輳の程度を示してもよい。例えば、輻輳のレベルは、輻輳が、閾値より高いまたは低いことを示してもよい。これに代えて、複数の閾値が使用されてもよい。例えば、輻輳のレベルは、輻輳が高い閾値を超える、すなわち、輻輳のレベルが高いことを示してもよく、または、輻輳が低い閾値を下回る、すなわち、輻輳のレベルが低いことをを示してもよい。高い閾値および低い閾値は、異なる輻輳のレベルに設定されてもよい。ある実施形態では、ＰＧＷ１２０およびＳＧＷ１１６は、輻輳のレベルが低い輻輳状態である場合に新規の接続を受け付けてもよく、輻輳のレベルが高い輻輳状態である場合には、新規の接続を受け付けなくてもよい。
【００２３】
その他の実施形態において、複数の高い閾値および／または低い閾値が使用されてもよい。輻輳のレベルは、高輻輳状態であることを示す複数のレベル（例えば、Ｈ１、Ｈ２、…、Ｈｎ）のうちの１つ、または、低輻輳状態であることを示す複数のレベル（例えば、Ｌ１、Ｌ２、…、Ｌｎ）のうちの１つであってもよい。
【００２４】
その他の実施形態では、輻輳のレベルは、ＰＧＷ１２０またはＳＧＷ１１６の輻輳の状態を表す数値（例えば、９０％の輻輳）を報告してもよい。
【００２５】
様々な実施形態において、ＰＧＷ１２０および／またはＳＧＷ１１６はそれぞれ、周期的に（例えば、予め定められた間隔で）、および／または、輻輳のレベルが変化した場合に、輻輳通知１２４および／または１２８をＭＭＥ１１２に送信してもよい。
【００２６】
様々な実施形態において、ＭＭＥ１１２は、ネットワーク１００の複数のＰＧＷ１２０および／またはＳＧＷ１１６から、事前輻輳通知１２４および／または１２８を受信してもよい。ＭＭＥ１１２の管理モジュール３０８は、事前輻輳通知１２４および／または１２８に含まれる輻輳のレベルに基づいて、ＵＥ１０８によるＰＧＷ１２０および／またはＳＧＷ１１６へとアクセスを管理してもよい。ＰＧＷ１２０の事前輻輳通知１２４が、ＰＧＷ１２０と関連付けられた１つまたは複数のＡＰＮの輻輳のレベルを示す実施形態において、ＭＭＥ１１２は、全体として、ＰＧＷ１２０とは独立して、ＡＰＮへのアクセスを管理してもよい。（例えば、一のＰＧＷと関連付けられた特定のＡＰＮへのアクセスを拒否し、当該ＰＧＷと関連付けられた別のＡＰＮへのアクセスを許可してもよい。）
【００２７】
例えば、ＭＭＥ１１２は、ＵＥ１０８の新規のＰＤＮ接続のセットアップを要求するＵＥ１０８からのＰＤＮ接続要求１３２を受信してもよい。ＰＤＮ接続要求１３２は、ＵＥ１０８からｅＮＢ１０４へと送信された後（図１では、送信１３２ａとして示されている）、ｅＮＢ１０４からＭＭＥ１１２へと転送されてもよい（図１では、送信１３２ｂとして示されている）。ＭＭＥ１１２は、ＰＧＷ１２０および／またはＳＧＷ１１６の輻輳のレベルに基づいて、要求１３２に応答した動作を行ってもよい。ある実施形態では、ＭＭＥ１１２は、適切な動作を選択する場合に、ＰＧＷ１２０またはＳＧＷ１１６のうちの何れかの輻輳のレベルのみを考慮してもよく、別の実施形態では、ＭＭＥ１１２は、ＰＧＷ１２０およびＳＧＷ１１６の両方の輻輳のレベルに基づいて、適切な動作を選択してもよい。
【００２８】
ＭＭＥ１１２は、ＵＥ１０８に通知１３６を送信して、選択された動作をＵＥ１０８に通知する。例えば、動作は、ＰＤＮ接続を許可すること、および、ＵＥ１０８にＰＤＮ接続を提供するべくＰＧＷ１２０および／またはＳＧＷ１１６を選択することを含んでもよい。この場合、通知１３６は、ＵＥ１０８に、ＰＤＮ接続が成功したことを通知してもよい。これに代えて、動作は、ＰＤＮ接続を拒否すること、および、ＵＥ１０８に新規の接続を確立できないことを（通知１３６を介して）通知することを含んでもよい。別の選択肢として、ＭＭＥ１１２は、ＵＥ１０８と交渉を行って、新規のＰＤＮ接続を確立する代わりに、既存のＰＤＮ接続を終了または修正させてもよい。通知１３６は、以下に更に説明するように、交渉プロセスを開始してもよい。
【００２９】
様々な動作が、様々な閾値レベルに割り当てられてもよい。動作それぞれに割り当てられる閾値のレベルは、ネットワーク１００のオペレータによって決定されてもよい。ある実施形態では、ＭＭＥ１１２は、報告された輻輳レベルの平均のような、ＰＧＷ１２０および／またはＳＧＷ１１６の全体的な輻輳を示す情報に基づいて、適切な動作を判断してもよい。その他の実施形態では、ＭＭＥ１１２は、最も低いおよび／または最も高い報告された輻輳レベルのような、報告された輻輳レベルのサブセットに基づいて、適切な動作を判断してもよい。
【００３０】
ＭＭＥ１１２は、ＰＧＷ１２０および／またはＳＧＷ１１６のうちの１つまたは複数が、新規の接続を受け付けることができる程度に十分に、報告された輻輳レベルが低い（例えば、低い閾値を下回る）ことを報告した場合には、新規のＰＤＮ接続を確立することを試みてもよい。ある実施形態では、ＳＧＷ１１６を選択する前に、ＰＧＷ１２０が選択されてもよい。
【００３１】
ＭＭＥ１１２は、ＰＧＷ１２０を選択して、複数のＰＧＷ１２０について報告した輻輳のレベルに基づいて、新規のＰＤＮ接続を提供してもよい。ある実施形態では、ＭＭＥ１１２は、複数のＰＧＷ１２０のうち、報告された輻輳レベルが最も低いＰＧＷ１２０を選択してもよい。ある実施形態では、報告された輻輳レベルに加えて、その他の要因を考慮してもよい。この場合、ＭＭＥ１１２は、選択されたＰＧＷ１２０が、最も低い報告された輻輳レベルを有さない場合であっても、ＰＧＷ１２０のグループから、報告された輻輳レベルが新規のＰＤＮ接続が可能であることを示すＰＧＷ１２０を選択してもよい。
【００３２】
ある実施形態では、ＵＥ１０８と新規のＰＤＮ接続が望ましいまたはネットワーク１００が要求する目的のＰＧＷ１２０が存在してもよい。この場合、ＭＭＥ１１２は、目的のＰＧＷ１２０が新規のＰＤＮ接続を受け入れることができるか判断するべく、目的のＰＧＷ１２０の報告された輻輳レベルを参照してもよい。目的のＰＤＮ１２０が、新規のＰＤＮ接続を受け入れることができる場合には、ＭＭＥ１１２は、ＵＥ１０８と目的のＰＧＷ１２０との間のＰＤＮ接続をセットアップしてもよい。
【００３３】
ＭＭＥ１１２が、新規のＰＤＮ接続に好適なＰＧＷ１２０を選択できる場合には、ＭＭＥ１１２は、ＳＧＷ１１６を選択して、新規のＰＤＮ接続をルーティングしてもよい。ある実施形態では、ＳＧＷ１１６は、報告された輻輳のレベルに基づいて、複数のＳＧＷ１１６の中から選択されてもよい。特定の特定のＳＧＷ１１６が、選択されたＰＧＷ１２０と関連付けられている実施形態では、ＭＭＥ１１２は、ＳＧＷ１１６が新規の接続を受け付けることができるかを判断するべく、特定のＳＧＷ１１６の報告された輻輳レベルを参照してもよい。
【００３４】
ＭＭＥ１１２が、確実に好適なＰＧＷ１２０および好適なＳＧＷ１１６を選択することができる場合には、ＭＭＥ１１２は、ＵＥ１０８との新規のＰＤＮ接続をセットアップしてもよい。ＭＭＥは、ＰＤＮ接続要求をＰＧＷ１２０へと転送してもよい。加えて、ＭＭＥ１１２は、ＰＤＮ接続が成功したことの通知を、ＵＥ１０８に送信してもよい。
【００３５】
ＭＭＥ１１２が選択すべき好適なＰＧＷ１２０および／またはＳＧＷ１１６が存在しない場合（例えば、低い輻輳を報告するＰＧＷ１２０および／またはＳＧＷ１１６が存在しない）、ＭＭＥ１１２は、ＰＤＮ接続を確立できないことを示す通知１３６をＵＥ１０８に送信してもよい。通知１２４および／または１２８により、従来のシステムと比較して相対的に速く、ＭＭＥ１１２が通知をＵＥ１０８に提供することを可能としてもよい。
【００３６】
従来のシステムが事前輻輳通知を提供しない場合、ＰＤＮ接続要求は、ＭＭＥからＳＧＷを介してＰＧＷへとルーティングされる必要がある。ＰＧＷが輻輳状態である場合には、ＰＧＷはＰＤＮ接続要求を拒否して、拒否の情報が、ＭＭＥを介してＵＥへとルーティングされて戻る。このような態様では、ＵＥがＰＤＮ接続要求を送信した時点と、ＰＤＮ接続を確立できないとの通知をＵＥが受信した時点との間に、大幅な遅延が付加される。更に、ＰＧＷがオーバーロード状態である場合であっても、ＰＤＮ接続要求がＰＧＷに送信されている。これに加えて、従来のシステムでは、オーバーロード状態のＳＧＷを考慮に入れていない。
【００３７】
これに対して、本明細書に説明するＭＭＥ１１２は、ＰＤＮ接続が確立できないかについてＵＥ１０８に即時に通知してもよい。これに加えて、ＭＭＥ１１２は、ＰＧＷ１２０がオーバーロードしている場合には（例えば、報告された輻輳レベルが高い場合）、ＰＤＮ接続要求１３２をＰＧＷ１２０へと転送しなくてもよい。更に、ＭＭＥ１１２は、要求されたＰＤＮ接続を確立すべきかを判断する時におよび／またはＰＤＮ接続に使用するＳＧＷ１１６を選択する時に、ＳＧＷ１１６の輻輳のレベルを考慮してもよい。
【００３８】
例えば、図６には、様々な実施形態に係る方法 ６００が例示されている。段階６０４において、ＵＥ（例えば、ＵＥ１０８）は、ＰＤＮ接続要求をＭＭＥ（例えば、ＭＭＥ１１２）に送信する。段階６０８において、ＭＭＥは、接続が成功しなかったことを示す通知をＵＥに送信してもよい。例えば、ＰＧＷおよび／またはＳＧＷが、閾値を超える輻輳を報告した場合には、ＭＭＥは、通知を送信してもよい。ＭＭＥは、ＰＧＷおよび／またはＳＧＷから事前輻輳通知を受け取ってもよく、それにより、ＭＭＥは、ＵＥに応答する前に、ＰＤＮ接続要求をＰＧＷまたはＳＧＷに転送する必要がない。したがって、ＵＥは、相対的に速く、接続の不成功の通知を受信してもよい。
【００３９】
ある実施形態ではおよび／またはある状況下では、ＭＭＥ１１２は、ＰＤＮ接続を拒否する代わりに、ＵＥ１０８との交渉プロセスを開始してもよい。交渉プロセスでは、ＵＥ１０８に、新規のＰＤＮ接続を確立する代わりに、既存の１つまたは複数のＰＤＮ接続を終了するまたは修正する選択肢が与えられてもよい。
【００４０】
図７ａおよび図７ｂには、交渉プロセス７００のフローチャートの一例が示されている。ある実施形態では、交渉プロセス７００は、非アクセス層（non access stratum：ＮＡＳ）シグナリングを使用して実行されてもよい。以下に更に説明するように、図７ａには、ＵＥが、交渉メッセージに対して否定応答を送信する実施形態が示されており、図７ｂには、ＵＥが、交渉メッセージに対して肯定応答を送信する実施形態が示されている。
【００４１】
段階７０４において、ＵＥ（例えば、ＵＥ１０８）は、ＵＥがＰＤＮ接続を確立することを望んでいることを示すＰＤＮ接続要求をＭＭＥ（例えば、ＭＭＥ１１２）へと送信してもよい。段階７０８において、新規のＰＤＮ接続を確立する代わりに１つまたは複数の既存のＰＤＮ接続を終了または修正する選択肢をＵＥに与えるべく、ＭＭＥは交渉メッセージをＵＥに送信してもよい。例えば、ＰＧＷおよび／またはＳＧＷの報告された輻輳レベルが閾値を超える場合には、ＭＭＥは、交渉メッセージを送信してもよい。
【００４２】
ある実施形態では、ＵＥは、ＵＥのユーザに（例えば、ディスプレイを介して）選択肢を提示してもよい。例えば、ディスプレイは、ＵＥの既存のＰＤＮ接続をリストにして提示して、既存のＰＤＮ接続のうちの１つまたは複数を終了または修正する選択肢を提示してもよい。ある実施形態では、ＰＤＮ接続を修正することは、ＰＤＮ接続が必要とする帯域幅および／またはサービス品質（ＱｏＳ）を低減することを含んでもよい。ある実施形態では、ＵＥは、複数の選択肢をユーザに提示してもよい。例えば、ユーザは、複数の既存のＰＤＮ接続のうち、１つまたは複数のＰＤＮ接続を終了または修正することを選択することが可能であってもよい。ユーザはまた、新規のＰＤＮ接続を確立できない場合には、既存のＰＤＮ接続の何れかを修正しない選択肢が与えられてもよい。ユーザは、１つの選択肢を（例えば、ＵＥのユーザインタフェースを使用して）選択してもよい。
【００４３】
その他の実施形態では、ＵＥは、（ユーザに選択肢を提示することなく）自動的に交渉メッセージに対する応答を判断してもよい。例えば、ＵＥは、ＵＥの優先順位設定に基づいて、応答を判断してもよい。ある実施形態では、優先順位設定は、ユーザによって設定および／または修正されてもよい。優先順位設定は、ＰＤＮ接続の別のタイプよりもＰＤＮ接続の特定のタイプが優先されるように設定されてもよい。
【００４４】
ある場合には、図７ａの段階７１２に示すように、ＵＥは、交渉メッセージに応答して、否定応答をＭＭＥに送信してもよい。そして、段階７１６では、ＭＭＥは、要求されたＰＤＮ接続を拒否して、既存のＰＤＮ接続を維持する。
【００４５】
これに代えて、図７ｂの段階７２０に示すように、ＵＥは、交渉メッセージに応答して、肯定応答をＭＭＥに送信してもよい。そして、段階７２４において、（例えば、応答により指示されるように）ＭＭＥは、既存のＰＤＮ接続のうちの１つまたは複数を終了または修正して、要求されたＰＤＮ接続を確立してもよい。
【００４６】
交渉プロセス７００では、ＵＥに、ネットワークにおけるＰＤＮ接続を管理するおよび／または優先順位づけする柔軟な選択肢が与えられてもよい。
【００４７】
ＰＧＷおよび／またはＳＧＷが複数の輻輳のレベルを報告する実施形態では、ＭＭＥは、報告された輻輳レベルに応じて異なる動作を選択してもよい。これに加えてまたは代えて、ネットワークのオペレータは、異なる動作をトリガする輻輳のレベルを設定してもよい。例えば、第１の高い輻輳レベルでは、ＭＭＥがＵＥと交渉して新規のＰＤＮ接続をセットアップするようにしてもよく、第１の高い輻輳レベルよりも高い第２の高い輻輳レベルでは、ＭＭＥに、交渉することなく新規のＰＤＮ接続を拒否するようにさせてもよい。
【００４８】
これに加えてまたは代えて、ＵＥは、報告された輻輳レベルに応じて、所定の数の同時ＰＤＮ接続を有することを許可されてもよい。例えば、ＵＥは、１つの輻輳のレベルにおいて３つの同時ＰＤＮ接続を有することを許可されてもよく、高い輻輳レベルでは２つの同時ＰＤＮ接続を、さらに高い輻輳レベルでは１つの同時ＰＤＮ接続を有することを許可されてもよい。ＭＭＥは、報告された輻輳レベルおよびＵＥの既存のＰＤＮ接続の数に応じて、ＰＤＮ接続要求を許可、拒否および／または交渉してもよい。
【００４９】
ある実施形態では、ＭＭＥ１１２は、ユーザプレーン（例えば、ＰＧＷ１２０および／またはＳＧＷ１１６）の輻輳のレベルを予め、ＵＥ１０８に報告してもよい。図８には、様々な実施形態に係る、輻輳のレベルを予め報告する方法８００が示されている。段階８０４において、ＭＭＥ（例えば、ＭＭＥ１１２）は、ユーザプレーン輻輳のレベルの通知を、ＵＥ（例えば、ＵＥ１０８）に予め送信してもよい。通知は、ＵＥから受信されるＰＤＮ接続に対するあらゆる要求とは独立して（例えば、要求に対する応答としてではなく）送信されてもよい。
【００５０】
輻輳通知の送信は、任意の好適な状態によってトリガされてもよい、および／または、周期的に送信されてもよい。例えば、ユーザプレーンの全体の輻輳状態が閾値を超えて、ＰＤＮ接続が現在利用できないまたは利用が難しいことを示す場合に、ＭＭＥ１１２は、事前に輻輳のレベルをＵＥ１０８に報告してもよい。ある実施形態では、これに加えてまたは代えて、全体の輻輳状態が閾値を下回ってＰＤＮ接続が現在利用可能であることを示す場合に、ＭＭＥ１１２は、輻輳のレベルをＵＥ１０８に報告してもよい。これにより、ＵＥ１０８のユーザが、ＰＤＮ接続を要求するかしないかを判断するのに有用な情報を提供してもよい。そして、その結果、ネットワーク１００は、ユーザプレーンが輻輳状態にある場合には、少ないＰＤＮ接続要求を受信することになると考えられる。
【００５１】
本明細書に記載されたｅＮＢ１０４、ＵＥ１０８、ＭＭＥ１１２、ＳＧＷ１１６および／またはＰＧＷ１２０は、所望に構成された任意の好適なハードウェアおよび／またはソフトウェアを用いたシステムに実装されてもよい。図９には、一実施形態に係る、システム９００の例が示されており、当該システムは、１つまたは複数のプロセッサ９０４、プロセッサ９０４のうちの少なくとも１つに結合されたシステム制御ロジック９０８、システム制御ロジック９０８に結合されたシステムメモリ９１２、システム制御ロジック９０８に結合された不揮発性メモリ（ＮＶＭ）／記憶装置９１６、システム制御ロジック９０８に結合されたネットワークインタフェース９２０、および、システム制御ロジック９０８に結合された入出力（Ｉ／Ｏ）デバイス９３２を備える。
【００５２】
プロセッサ９０４は、１つまたは複数のシングルコアまたはマルチコアプロセッサを含んでもよい。プロセッサ９０４は、汎用プロセッサおよび専用プロセッサ（例えば、グラフィックスプロセッサ、アプリケーションプロセッサ、ベースバンドプロセッサ等）の任意の組み合わせを含んでもよい。
【００５３】
一実施形態におけるシステム制御ロジック９０８は、プロセッサ９０４および／または任意の好適なデバイスまたはシステム制御ロジック９０８と通信する構成要素のうちの少なくとも１つに対して任意の好適なインタフェースを提供するべく、任意の好適なインタフェースコントローラを含んでもよい。
【００５４】
一実施形態におけるシステム制御ロジック９０８は、システムメモリ９１２にインタフェースを提供する１つまたは複数のメモリコントローラを含んでもよい。システムメモリ９１２は、例えば、システム９００に対するデータおよび／または命令をロードおよび格納するのに使用されてもよい。一実施形態におけるシステムメモリ９１２は、例えば、好適なダイナミックランダムアクセスメモリ（ＤＲＡＭ）のような、任意の好適な不揮発性メモリを含んでもよい。
【００５５】
ＮＶＭ／記憶装置９１６は、例えば、データおよび／または命令を格納するのに使用される１つまたは複数の有形、非一時的コンピュータ可読媒体を含んでもよい。例えば、ＮＶＭ／記憶装置９１６は、フラッシュメモリのような任意の好適な不揮発性メモリを含んでもよい、および／または、例えば、１つまたは複数のハードディスクドライブ（ＨＤＤ）、１つまたは複数のコンパクトディスク（ＣＤ）ドライブ、および／または１つまたは複数のデジタル汎用ディスク（ＤＶＤ）ドライブのような任意の好適な不揮発性記憶デバイスを含んでもよい。
【００５６】
ＮＶＭ／記憶装置９１６は、システム９００が設置されているデバイスの物理的に一部であってもよい、または、必ずしもデバイスの一部ではないが、デバイスによってアクセス可能な、記憶リソースを含んでもよい。例えば、ＮＶＭ／記憶装置９１６は、ネットワークインタフェース９２０および／または入出力（Ｉ／Ｏ）デバイス９３２を介してネットワーク上でアクセス可能であってもよい。
【００５７】
ネットワークインタフェース９２０は、１つまたは複数のネットワークを介して通信を行うおよび／またはその他の好適なデバイスと通信を行うための無線インタフェースをシステム９００に提供する送受信機９２２を有してもよい。送受信機９２２は、通信モジュール２０４を実装してもよい。様々な実施形態において、送受信機９２２は、システム９００のその他の構成要素に統合されてもよい。例えば、送受信機９２２は、複数のプロセッサ９０４のうちの一のプロセッサ、システムメモリ９１２のうちの一のメモリ、および、ＮＶＭ／記憶装置９１６のうちの一のＮＶＭ／記憶装置を有してもよい。ネットワークインタフェース９２０は、任意の好適なハードウェアおよび／またはファームウェアを含んでもよい。ネットワークインタフェース９２０は、複数入力複数出力無線インタフェースを提供する複数のアンテナを含んでもよい。一実施形態におけるネットワークインタフェース９２０は、例えば、有線ネットワークアダプタ、無線ネットワークアダプタ、電話モデムおよび／または無線モデムを含んでもよい。
【００５８】
一実施形態において、プロセッサ９０４のうちの少なくとも１つは、システム制御ロジック９０８の１つまたは複数のコントローラのロジックと共にパッケージ化されてもよい。一実施形態において、プロセッサ９０４のうちの少なくとも１つが、システム制御ロジック９０８の１つまたは複数のコントローラのロジックと共にパッケージ化されて、システムインパッケージ（ＳｉＰ）を形成してもよい。一実施形態において、プロセッサ９０４のうちの少なくとも１つが、同じダイ上で、システム制御ロジック９０８の１つまたは複数のコントローラのロジックと統合されてもよい。一実施形態において、プロセッサ９０４のうちの少なくとも１つが、同じダイ上で、システム制御ロジック９０８の１つまたは複数のコントローラのロジックと統合されて、システムオンチップ（ＳｏＣ）を形成してもよい。
【００５９】
様々な実施形態において、Ｉ／Ｏデバイス９３２は、ユーザがシステム９００とのやり取りを可能とするように設計されたユーザインタフェース、周辺機器がシステム９００とのやり取りを可能とするように設計された周辺機器インタフェース、および／または、システム９００に関連する環境状態および／または位置情報を決定するように設計されたセンサを含んでもよい。
【００６０】
様々な実施形態において、ユーザインタフェースは、これに限定されないが、ディスプレイ（例えば、液晶ディスプレイ、タッチスクリーンディスプレイ等）、スピーカ、マイク、１つまたは複数のカメラ（例えば、スチルカメラおよび／またはビデオカメラ）、フラッシュライト（例えば、発光ダイオードフラッシュ）およびキーボードを備えることができる。
【００６１】
様々な実施形態において、周辺機器インタフェースは、これに限定されないが、不揮発性メモリポート、ユニバーサルシリアルバス（ＵＳＢ）ポート、オーディオジャックおよび電源インタフェースを含んでもよい。
【００６２】
様々な実施形態において、センサは、これに限定されないが、ジャイロセンサ、加速度計、近接センサ、環境光センサ（ambient light sensor）、および、測位ユニットを含んでもよい。測位ユニットは、測位ネットワークの構成要素、例えば、グローバルポジショニングシステム（ＧＰＳ）衛星と通信を行うネットワークインタフェース９２０の一部であってもよい、または、やり取りを行ってもよい。
【００６３】
様々な実施形態において、システム９００は、これに限定されないが、ラップトップコンピュータデバイス、タブレットコンピュータデバイス、ネットブック、スマートフォン等のモバイルコンピュータデバイスであってもよい。様々な実施形態において、システム９００は、これよりも多くのまたは少ない構成要素を有してもよいし、および／または、異なる構造を有してもよい。
【００６４】
本明細書において、説明することを目的として特定の実施形態が図示および記載されたが、同じ目的を達成するように計算された多種多様な代替および／または均等な実施形態または実装形態を、本開示の範囲内において、本明細書に図示および記載された実施形態の代替としてもよい。本願は、本明細書に記載された任意の適用または変形例を範囲に含むことを意図している。したがって、本明細書に記載された実施形態は、添付の特許請求の範囲によってのみおよびその均等物によってのみ限定されることを明確に意図する。
（項目１）
複数のサービングゲートウェイ（ＳＧＷ）および無線通信ネットワークの進化型パケットコアの複数のパケットデータネットワークゲートウェイ（ＰＧＷ）と通信を行う通信モジュール、および、
前記通信モジュールに結合された管理モジュールを備え、
前記管理モジュールは、
前記通信モジュールを介して、前記複数のＰＧＷの個々のＰＧＷから、前記ＰＧＷそれぞれの輻輳のレベルを示す事前ＰＧＷ輻輳通知を受信し、
受信した前記事前ＰＧＷ輻輳通知に基づいて、前記無線通信ネットワークのユーザ機器（ＵＥ）による前記複数のＰＧＷへのアクセスを管理する、モビリティマネジメントエンティティ（ＭＭＥ）。
（項目２）
前記管理モジュールは更に、前記複数のＳＧＷの個々のＳＧＷから、それぞれのＳＧＷの輻輳のレベルを示す事前ＳＧＷ輻輳通知を受信する、項目１に記載のＭＭＥ。
（項目３）
前記管理モジュールは更に、前記複数のＰＧＷのうちの１つとパケットデータネットワーク接続（ＰＤＮ接続）を確立するべくＰＤＮ要求を前記ＵＥから受信し、前記複数のＰＧＷの前記輻輳のレベルに基づいて、前記要求に応答する動作を行う、項目２に記載のＭＭＥ。
（項目４）
前記動作は、前記複数のＰＧＷの受信した前記輻輳のレベルに基づいて、前記ＵＥが前記ＰＤＮ接続を確立すべき第１のＰＧＷを前記複数のＰＧＷから選択することを含む、項目３に記載のＭＭＥ。
（項目５）
前記動作は更に、前記ＵＥと前記第１のＰＧＷとの間の前記ＰＤＮ接続をルーティングすべき第１のＳＧＷを前記複数のＳＧＷから選択することを含み、
前記第１のＳＧＷは、前記複数のＳＧＷの受信した前記輻輳のレベルに基づいて選択される、項目４に記載のＭＭＥ。
（項目６）
前記動作は、要求された前記ＰＤＮ接続を確立する代わりに、既存のＰＤＮ接続を終了するまたは修正するべく前記ＵＥと交渉することを含む、項目３に記載のＭＭＥ。
（項目７）
前記交渉することは、
要求された前記ＰＤＮ接続を確立する代わりに、既存のＰＤＮ接続を終了するまたは修正する選択肢を伴う通知を前記ＵＥに送信すること、および、
前記ＵＥから前記通知に対する応答を受信すること、を含む項目６に記載のＭＭＥ。
（項目８）
前記管理モジュールは更に、前記複数のＰＧＷおよび／または前記複数のＳＧＷの受信した前記輻輳のレベルに基づいて、前記無線通信ネットワークのユーザプレーンの全体的な輻輳のレベルを示すメッセージを、前記ＵＥに事前に送信する、項目２に記載のＭＭＥ。
（項目９）
前記管理モジュールは、前記複数のＰＧＷの前記輻輳のレベルに基づいて、ネットワークの高い輻輳を示す通知を、前記ＵＥに事前に送信する、項目１に記載のＭＭＥ。
（項目１０）
前記輻輳のレベルは、輻輳が第１の閾値を超えることを示す高いレベルである、または、輻輳が第２の閾値を下回ることを示す低いレベルである、項目１から９の何れか一項に記載のＭＭＥ。
（項目１１）
前記輻輳のレベルは、高い輻輳を示す複数のレベルのうちの１つである、または、低い輻輳を示す複数のレベルのうちの１つである、項目１から９の何れか一項に記載のＭＭＥ。
（項目１２）
無線通信ネットワークを介して、発展型ノードＢ（ｅＮＢ）と通信を行う通信モジュールと、
パケットデータネットワークモジュール（ＰＤＮモジュール）とを備え、
前記ＰＤＮモジュールは、
新規のＰＤＮ接続の要求を、前記無線通信ネットワークのモビリティマネジメントエンティティ（ＭＭＥ）に送信し、
前記新規のＰＤＮ接続を確立する代わりに既存のＰＤＮ接続を終了または修正する選択肢をユーザ機器（ＵＥ）に与える通知を、前記ＭＭＥから受信し、
前記通知に対する応答を前記ＭＭＥに送信する、通信装置。
（項目１３）
前記ＰＤＮモジュールは更に、前記応答を選択するべく前記選択肢を、前記通信装置のユーザに提示する、項目１２に記載の通信装置。
（項目１４）
前記既存のＰＤＮ接続を修正する前記選択肢は、前記既存のＰＤＮ接続が要求する帯域幅および／またはサービス品質を低減することを含む、項目１２に記載の通信装置。
（項目１５）
前記応答は、否定応答であり、
前記新規のＰＤＮ接続は、拒否され、
前記通信装置は、前記既存のＰＤＮ接続を受信し続ける、項目１２から１４のうちの何れか一項に記載の通信装置。
（項目１６）
前記応答は、肯定応答であり、
前記新規のＰＤＮ接続が確立され、
前記既存のＰＤＮ接続は、終了または修正される、項目１２から１４のうちの何れか一項に記載の通信装置。
（項目１７）
モビリティマネジメントエンティティ（ＭＭＥ）と通信する通信モジュールと、
輻輳モジュールとを備えるパケットデータネットワークゲートウェイ（ＰＧＷ）であって、
前記輻輳モジュールは、
前記ＰＧＷの輻輳のレベルを決定し、
前記輻輳のレベルを事前に前記ＭＭＥに報告する、ＰＧＷ。
（項目１８）
前記輻輳のレベルが、輻輳が第１の閾値を超えることを示す高いレベルである、または、輻輳が第２の閾値を下回ることを示す低いレベルである、項目１７に記載のＰＧＷ。
（項目１９）
前記輻輳のレベルは、高い輻輳を示す複数のレベルのうちの１つである、または、低い輻輳を示す複数のレベルのうちの１つである、項目１７に記載のＰＧＷ。
（項目２０）
前記ＰＧＷは、通信装置に含まれており、
前記通信装置は更に、サービングゲートウェイ（ＳＧＷ）を有し、
前記ＳＧＷは、
前記ＭＭＥおよび前記ＰＧＷと通信するＳＧＷ通信モジュールと、
ＳＧＷ輻輳モジュールとを含み、
前記ＳＧＷ輻輳モジュールは、
前記ＳＧＷの輻輳のレベルを決定し、
前記輻輳のレベルを前記ＭＭＥに事前に報告する、項目１７に記載のＰＧＷ。
【図１】
0005945775.tif 000002
【図２】
0005945775.tif 000003
【図３】
0005945775.tif 000004
【図４】
0005945775.tif 000005
【図５】
0005945775.tif 000006
【図６】
0005945775.tif 000007
【図７ａ】
0005945775.tif 000008
【図７ｂ】
0005945775.tif 000009
【図８】
0005945775.tif 000010
【図９】
0005945775.tif 000011